(57)【特許請求の範囲】
【請求項１】
農作物を搬送する主無端コンベアと農作物搬送の補助をする補助無端コンベアとで構成され、主無端コンベアは農作物を送る搬送路が搬送方向をターンし下側にくるかもしくは垂直となる下方搬送路を持ち、主無端コンベアのコンベア面には農作物を一定ピッチに区分けして送る仕切り板を間隔を離して多数取り付け、又補助無端コンベアのコンベア面には仕切り板を間隔を離して多数取り付け、かつ主無端コンベアの仕切り板の取り付け間隔と補助無端コンベアの仕切り板の取り付け間隔とは同一間隔に設定し、主無端コンベアの下方搬送路に補助無端コンベアを所定間隔で対置させ、下方搬送路において補助無端コンベアの送り方向と送り速度を主無端コンベアの送り方向と送り速度と同じにしかつ主無端コンベアの仕切り板と補助無端コンベアの仕切り板とを接触状態もしくは近接状態で送るようにする連動手段を設け、下方搬送路において主無端コンベアの仕切り板と補助無端コンベアの仕切り板と両コンベアのコンベア面とで農作物を支持し、更に連動手段として、補助無端コンベアをフリー無端コンベアとし、下方搬送路部において主無端コンベアの仕切り板と補助無端コンベアの仕切り板とに重なり部を持つような間隔で主無端コンベアと補助無端コンベアを対置して、主無端コンベアの送られる仕切り板が補助無端コンベアの仕切り板と重なり部で接触して補助無端コンベアの仕切り板を押進し、補助無端コンベアを主無端コンベアと同一方向，同速度かつ仕切り板を互いに接触状態にして送るようにし、下方搬送路において農作物の落下と損傷がないよう農作物を搬送することを特徴とする農作物搬送コンベア。
【請求項２】
補助無端コンベアを主無端コンベアのフレームに脱着自在に取り付けた請求項１記載の農作物搬送コンベア。
【請求項３】
主無端コンベアの下方搬送路部分で側板を設け、側面から農作物の落下を防ぐようにした請求項１又は２いずれかに記載の農作物搬送コンベア。
【請求項４】
主無端コンベアの側板を透明板とし農作物の搬送状況を監視することができる請求項３記載の農作物搬送コンベア。
【請求項５】
機体に種芋を収容する収容器と走行用の車輪を有し、さらに請求項１〜４に記載する農作物搬送コンベアを左右に張り出すようにかつ農作物搬送コンベアの搬送路の一部が収容器内を下方から上方へ通過するように機体に取り付け、車輪の回転を農作物搬送コンベアに伝達し、収容器内の底部分より種芋を上方へ送り出して、下方搬送路の下端部より所定ピッチで種芋を地面に落下させるようにした芋植え付け機。
【発明の詳細な説明】
【０００１】
【発明の属する技術分野】
本発明は、芋や種芋，長芋，さと芋，みかん等の農作物を搬送する農作物搬送コンベア及び、この農作物搬送コンベアを用いて種芋を収容した収容器から種芋を一個づつ取り出して所定ピッチで種芋を畑に落下させるようにした芋植え付け機に関する。
【０００２】
【従来の技術】
図９に示す芋植え付け機に用いられる種芋の農作物搬送コンベアを説明すると、農作物搬送コンベア５１はコンベアベルト５２を三角形状に張り渡し、垂直搬送路５４と斜め搬送路５５と下方搬送路５６とからなる三角形状の搬送路を形成する。コンベアベルト５２上には種芋６９を一定ピッチに区分けするための椀状の仕切り板５３が間隔を離して多数設けられている。垂直搬送路５４は、種芋６９を収容する収容器５７を下方から上方へ通過するよう取り付けられている。下方搬送路５６の下側には種芋６９を支持するための樋５９が取り付けられている。樋５９の内側の形状は仕切り板５３の外形形状に倣いかつ仕切り板５３の外形形状よりやや大きく設定されている。
図９，１０中、６０は収容器５７の底部に開けられた開口部、６１は駆動プーリー６４とプーリー６５を固定する縦フレーム、６２はプーリー６６を固定する横フレーム、６３は下方搬送路５６部に用いられる斜めフレーム、６４は駆動プーリー、６５はプーリー、６６はプーリー、６７は横フレーム６２の側面に取り付けられる側面板、６８は駆動プーリー６４に取り付けられた回転盤、６９は種芋である。
この農作物搬送コンベア５１は車輪の回転力を用いて駆動している。芋植え付け機が走行して車輪が回転し農作物搬送コンベア５１が作動する。農作物搬送コンベア５１の垂直搬送路５４において収容器５７内の底部分から持ち上がる途中で種芋６９が仕切り板５３に取り込まれ上方へ送り出される。種芋６９は上方へ送られた後斜め搬送路５５に沿い横方向へ送られる。斜め搬送路５５において作業者は仕切り板５３が空で送られてきたり、損傷した種芋６９が送られてきたりした場合に、その仕切り板５３の中に種芋６９を補充したりあるいは損傷した種芋６９を排除して別の種芋６９を補充したりする。
斜め搬送路５５から下方搬送路５６に移るところでは、種芋６９は横方向へ送られた後下方搬送路５６へ送り込まれる。下方搬送路５６では椀状の仕切り板５３が反転するため、種芋６９は今まで支持を受けていた仕切り板５３から転出し、搬送方向前方にある仕切り板５３と下方搬送路５６の樋５９によって支持され、地面に十分近いところから地面に落下される。
下方搬送路５６において種芋６９は樋５９に支持されながら搬送されるが、仕切り板５３と樋５９との間には間隙があり、この間隙部分に種芋６９が挟まり、引きずられて損傷していた。又時には種芋６９の噛み込みにより農作物搬送コンベア５１の送りに支障が生じていた。
【０００３】
【発明が解決しようとする課題】
本発明が解決しようとする課題は従来のこれらの問題を解決し、農作物を損傷することなく搬送する農作物搬送コンベア及びこれを利用した芋植え付け機を提供する。第２の課題は駆動部分の構造が簡単なため製造コストが安価でしかも保守，点検が容易に出来、さらに従来の農作物搬送コンベアを簡単に改造して本発明の農作物搬送コンベアにできるようにすることにある。
【０００４】
【課題を解決するための手段】
かかる課題を解決した本発明の構成は、
１）  農作物を搬送する主無端コンベアと農作物搬送の補助をする補助無端コンベアとで構成され、主無端コンベアは農作物を送る搬送路が搬送方向をターンし下側にくるかもしくは垂直となる下方搬送路を持ち、主無端コンベアのコンベア面には農作物を一定ピッチに区分けして送る仕切り板を間隔を離して多数取り付け、又補助無端コンベアのコンベア面には仕切り板を間隔を離して多数取り付け、かつ主無端コンベアの仕切り板の取り付け間隔と補助無端コンベアの仕切り板の取り付け間隔とは同一間隔に設定し、主無端コンベアの下方搬送路に補助無端コンベアを所定間隔で対置させ、下方搬送路において補助無端コンベアの送り方向と送り速度を主無端コンベアの送り方向と送り速度と同じにしかつ主無端コンベアの仕切り板と補助無端コンベアの仕切り板とを接触状態もしくは近接状態で送るようにする連動手段を設け、下方搬送路において主無端コンベアの仕切り板と補助無端コンベアの仕切り板と両コンベアのコンベア面とで農作物を支持し、更に連動手段として、補助無端コンベアをフリー無端コンベアとし、下方搬送路部において主無端コンベアの仕切り板と補助無端コンベアの仕切り板とに重なり部を持つような間隔で主無端コンベアと補助無端コンベアを対置して、主無端コンベアの送られる仕切り板が補助無端コンベアの仕切り板と重なり部で接触して補助無端コンベアの仕切り板を押進し、補助無端コンベアを主無端コンベアと同一方向，同速度かつ仕切り板を互いに接触状態にして送るようにし、下方搬送路において農作物の落下と損傷がないよう農作物を搬送することを特徴とする農作物搬送コンベア
２）  補助無端コンベアを主無端コンベアのフレームに脱着自在に取り付けた前記１）記載の農作物搬送コンベア
３）  主無端コンベアの下方搬送路部分で側板を設け、側面から農作物の落下を防ぐようにした前記１）又は２）いずれかに記載の農作物搬送コンベア
４）  主無端コンベアの側板を透明板とし農作物の搬送状況を監視することができる前記３）記載の農作物搬送コンベア
５）  機体に種芋を収容する収容器と走行用の車輪を有し、さらに前記１）〜４）に記載する農作物搬送コンベアを左右に張り出すようにかつ農作物搬送コンベアの搬送路の一部が収容器内を下方から上方へ通過するように機体に取り付け、車輪の回転を農作物搬送コンベアに伝達し、収容器内の底部分より種芋を上方へ送り出して、下方搬送路の下端部より所定ピッチで種芋を地面に落下させるようにした芋植え付け機
にある。
【０００５】
【作用】
本発明では、農作物を送る搬送路が搬送方向をターンし下側にくるかもしくは垂直となる主無端コンベアの下方搬送路において、主無端コンベアの仕切り板と補助無端コンベアの仕切り板とは同一方向，同一速度でかつ接触状態もしくは近接状態で送られてくるため、下方搬送路に送り込まれてきた農作物は主無端コンベアの仕切り板，補助無端コンベアの仕切り板，主無端コンベアのコンベア面，補助無端コンベアのコンベア面の支持を受け搬送されて落下することなく円滑に搬送される。しかも主無端コンベアの仕切り板と補助無端コンベアのコンベア面との間の間隙部分を補助無端コンベアの仕切り板で塞がれているので、主無端コンベアの仕切り板と補助無端コンベアのコンベア面の間に農作物が挟まることなく搬送され、搬送中農作物は損傷を受けることがない。
下方搬送路において主無端コンベアの仕切り板とフリー無端コンベアである補助無端コンベアの仕切り板とは一部重なり合う位置関係にあり、又両仕切り板の取り付け間隔は同一間隔であるために、主無端コンベアの仕切り板は補助無端コンベアの仕切り板と同時に接触し、補助無端コンベアの仕切り板は同時に主無端コンベアの仕切り板によって押進されて、補助無端コンベアが従動を始める。補助無端コンベアが従動を始めると全ての補助無端コンベアの仕切り板と全ての主無端コンベアの仕切り板とは１対１で接触しながら同一方向，同一速度で送られるようになる。
主無端コンベアのフレームに補助無端コンベアを脱着自在に取り付けたものは、補助無端コンベアを外してコンベアの保守・点検ができ、又従来の農作物搬送コンベアの樋を外し補助無端コンベアを取り付けるだけで従来の農作物搬送コンベアを本発明の農作物搬送コンベアにすることができる。
主無端コンベアの下方搬送路部分に側板を設けたものは、農作物が下方搬送路の側面より確実に落下することなく搬送される。
主無端コンベアの側板を透明体とするものは、農作物の搬送状態を随時監視することができる。
【０００６】
【発明の実施の形態】
種芋搬送としては、仕切り板は椀形状である方が収容器より種芋を持ち上げ易く又仕切り板の側面より種芋が落下しにくいので望ましい。
補助無端コンベアは主無端コンベアのフレームに脱着自在に取り付ける方が製造・保守・点検が容易にでき、又従来の農作物搬送コンベアの樋を外し補助無端コンベアを取り付けるだけで従来の農作物搬送コンベアを本発明の農作物搬送コンベアにすることができる。
【０００７】
【実施例】
以下本発明の実施例を図面に基づいて説明する。
図１〜図６に示す実施例は、種芋を畑に所定ピッチで植え付ける芋植え付け機に農作物搬送コンベアを用いた場合の例である。芋植え付け機には、農作物である種芋を収容する収容器及び車輪が取り付けられ、車輪の回転力で主無端コンベアを駆動させる。補助無端コンベアには従動タイプのフリー無端コンベアを用い、側板には透明な板を使用する。主無端コンベアの搬送路は垂直搬送路，斜め上方搬送路，斜め下方搬送路から構成され、垂直搬送路は収容器内部を下方より上方へ通過するよう配置され、車輪が回転すると主無端コンベアが作動し、収容器内の種芋を搬送するように構成されている。
図１は、実施例の農作物搬送コンベアを用いた芋植え付け機の斜視図である。
図２は、実施例の農作物搬送コンベアを用いた芋植え付け機の正面図である。
図３は、実施例の農作物搬送コンベアの側面図である。
図４は、図３の農作物搬送コンベアのＡ−Ａ断面図である。
図５は、実施例の農作物搬送コンベアで使用される補助無端コンベアの斜視図である。
図６は、実施例の農作物搬送コンベアの送り駆動力機構の説明図である。
図７は、図３に示す補助無端コンベアのかわりに主無端コンベアの駆動力をベルトを介して伝達する補助無端コンベアを用いた場合の農作物搬送コンベアの送り機構の説明図である。
図８は、図３に示す補助無端コンベアのかわりに主無端コンベアの駆動力をベルト及びギア車を介して伝達する補助無端コンベアを用いた場合の農作物搬送コンベアの送り機構の説明図である。
【０００８】
実施例（図１〜図６参照）
図中、１は農作物搬送コンベア、２は農作物搬送コンベア１の主無端コンベア、２ａは主無端コンベア２のコンベアベルト、２ｂはコンベアベルト２ａ上に間隔を離して多数取り付けられ種芋３１を一定ピッチに区分ける椀状の仕切り板、２ｃは主無端コンベア２の垂直搬送路、２ｄは主無端コンベア２の斜め上方搬送路、２ｅは主無端コンベア２の斜め下方搬送路、２ｆは垂直搬送路２ｃ部に用いられ駆動プーリー２ｍとプーリー２ｎを固定する縦フレーム、２ｇは斜め上方搬送路２ｄ部に用いられプーリー２ｐを固定する横フレーム、２ｈは斜め下方搬送路２ｅ部に用いられる斜フレーム、２ｉは横フレーム２ｇ側面に取り付けられるＬ字形の側面板、２ｊは横フレーム２ｇの側面に取り付けられる半円筒形の側面樋、２ｋは横フレーム２ｇの端部取り付けられるＵ字形のカバー、２ｌは斜フレーム２ｈに取り付けられる側板、２ｍは駆動プーリー、２ｎと２ｐはプーリー、２ｑは駆動プーリー２ｍに取り付けられた回転盤、３は農作物搬送コンベア１の斜め下方搬送路２ｅにおいて所定間隔で主無端コンベア２と対置する補助無端コンベア、３ａは補助無端コンベア３のコンベアベルト、３ｂはコンベアベルト３ａ上に取り付けられる仕切り板で主無端コンベア２の仕切り板２ｂと重なり部を持つような寸法に設定され又仕切り板２ｂの取り付け間隔と同一間隔で取り付けられている、３ｃはプーリー３ｅ，３ｆを固定するコンベアフレーム、３ｄは補助無端コンベア３を主無端コンベア２に脱着自在に取り付けるためのジョイント板、３ｅ，３ｆはプーリー、３ｇはボルト、Ａは農作物搬送コンベア１を用いて種芋３１を植え付ける芋植え付け機、Ｂは種芋３１を収容する収容器、Ｂ1 は収容器Ｂの底壁に開けられた開口部、Ｃは芋植え付け機Ａの車輪、Ｄはローラー、Ｅは車輪に貫設された車軸、Ｆは車軸Ｅに固定されたスプロケット、Ｇ，Ｈは芋植え付け機Ａに回転自在に取り付けられたスプロケット、ＩはスプロケットＦ，Ｇ，Ｈに渡されたチェーン、ＪはスプロケットＨとベベルギアＫとを固定するシャフト、Ｋはベベルギア、ＬはベベルギアＫと噛合しかつ主無端コンベア２の駆動プーリー２ｍと同軸に軸着するベベルギア、３１は種芋である。
【０００９】
芋植え付け機Ａには、農作物搬送コンベア１と種芋３１を収容する収容器Ｂが取り付けられ、又車軸Ｅが回転自在に取り付けられている。車軸Ｅには車輪ＣとスプロケットＦが固定され、スプロケットＦはチェーンＩを介してスプロケットＧ及びスプロケットＨに連結されている。スプロケットＧ及びスプロケットＨは芋植え付け機Ａに回転自在に取り付けてある。スプロケットＨとベベルギアＫはシャフトＪに固定され、ベベルギアＫはベベルギアＬと噛合状態に配置されている。ベベルギアＬと主無端コンベア２の駆動プーリー２ｍは同軸に軸着されている。
主無端コンベア２はコンベアベルト２ａを張り渡して三角形状の搬送路を形成する。三角形状の搬送路は垂直搬送路２ｃと斜め上方搬送路２ｄと斜め下方搬送路２ｅとからなっている。垂直搬送路２ｃの一部は収容器Ｂ内を下方から上方へ通過するよう配置されている。
【００１０】
以下本実施例の動作について説明する。
芋植え付け機Ａはトラクタ−や人力によりけん引されて使用される。けん引されると芋植え付け機Ａの地面に接地した車輪Ｃが回転し、車輪Ｃの回転がチェーンＩを介してスプロケットＧ及びスプロケットＨに伝えられ、スプロケットＨが回転する。さらにスプロケットＨの回転がベベルギアＫ及びベベルギアＬに伝えられ、ベベルギアＬと同軸に軸着した主無端コンベア２の駆動プーリー２ｍに伝えられて駆動プーリー２ｍが回転する。駆動プーリー２ｍの回転により主無端コンベア２が作動する。
主無端コンベアが作動すると、芋植え付け機Ａに取り付けられた収容器Ｂ内の底部分より種芋３１が仕切り板２ｂに取りこまれ１個づつ上方へ送り出される。種芋３１は上方へ送られた後、斜め上方搬送路２ｄに沿い斜め上方へ送られる。斜め上方搬送路２ｄでは、種芋３１が所定ピッチで送られてこなかったり、傷ついた種芋３１が送られてきた場合、作業者が種芋３１を補充したりあるいは種芋３１を選別したりする作業を行なう。斜め上方搬送路２ｄから斜め下方搬送路２ｅにターンするところで椀状の仕切り板２ｂが反転するため種芋３１は今まで支持を受けていた仕切り板２ｂから転出し、斜め下方搬送路２ｅ内へ送られていく。斜め下方搬送路２ｅにおいては主無端コンベア２の仕切り板２ｂと補助無端コンベア３の仕切り板３ｂとは一部重なり合う位置関係にあり、又仕切り板２ｂの取り付け間隔と仕切り板３ｂとの取り付け間隔は同一間隔であるために、主無端コンベア２の仕切り板２ｂは補助無端コンベア３の仕切り板３ｂと同時に接触し、補助無端コンベア３の仕切り板３ｂは同時に主無端コンベア２の仕切り板２ｂによって押進されて、補助無端コンベア３が従動を始める。全ての仕切り板３ｂと全ての仕切り板２ｂとは１対１で接触しながら同一方向，同一速度で送られる状態になる。かかる状態にある斜め下方搬送路２ｅに取り込まれてきた種芋３１は、仕切り板２ｂ，仕切り板３ｂ，コンベアベルト２ａ，コンベアベルト３ａの支持を受け搬送され、かつ主無端コンベア２の仕切り板２ｂと補助無端コンベア３のコンベア面との間の間隙部分を補助無端コンベア３の仕切り板３ｂで塞いでいるので主無端コンベア２の仕切り板２ｂと補助無端コンベア３のコンベア面の間に種芋３１が挟まれることなく搬送され、搬送中種芋３１は損傷を受けることがない。又種芋３１が挟まることがないので両コンベアは円滑に送られる。
又補助無端コンベア３を主無端コンベア２に脱着自在に取り付けたものは、補助無端コンベア３を外してコンベアの保守・点検ができるので両コンベアを良好な状態に保つことができる。
又側板２１にガードされ種芋３１が斜め下方搬送路２ｅの側面から落下することなく確実に搬送される。しかも側板２１は透明であるので、農作物の搬送状態を随時監視することができる。
以上のように、種芋３１は損傷されることなく斜め下方搬送路２ｅの下端部まで搬送された後、地面に十分近いところから地面へ順次落下され、所定の間隔で地面に植え付けられる。
【他の駆動例】
以下、前記実施例の他の駆動例について図面に基づいて説明する。図７及び図８に示す他の駆動例は主無端コンベアの駆動力をベルトやギア車を介して補助無端コンベアに伝達するものである。
図７は、図３に示す補助無端コンベアのかわりに主無端コンベアの駆動力をベルトを介して伝達する補助無端コンベアを用いた場合の農作物搬送コンベアの送り機構の説明図である。
図８は、図３に示す補助無端コンベアのかわりに主無端コンベアの駆動力をベルト及びギア車を介して伝達する補助無端コンベアを用いた場合の農作物搬送コンベアの送り機構の説明図である。
図７中、４０は補助無端コンベア、４１は主無端コンベア２のプーリー２ｐと同軸に軸着するプーリー、４２は補助無端コンベア３のプーリー３ｅと同軸に軸着するプーリー、４３はプーリー４１とプーリー４２にかけられたベルトである。
図８中、４５は主無端コンベア２のプーリー２ｐと同軸に軸着するギア車、４６はギア車４７と同軸に軸着する第２プーリー、４７は第２プーリー４６と同軸に軸着する第２ギア車、４８はプーリー４９と第２プーリー４６にかけられるベルト、４９は補助無端コンベア４０のプーリー３ｅと同軸に軸着するプーリーである。
図７に示すように構成された他の駆動方式の農作物搬送コンベア１において、プーリー２ｐとプーリ３ｅのプーリー径の比とプーリー４１とプーリー４２のプーリー径の比とが同一に設定されているので、主無端コンベア２と補助無端コンベア３とは同一速度で送られる。又プーリー４１とプーリー４２とにベルト４３をたすきがけに渡しているので、主無端コンベア２と補助無端コンベア３とは同一方向へ送られる。又両コンベアの仕切り板が重なり部を持つような位置関係にあるので、両コンベアの仕切り板は接触状態で送られる。
図８に示すように構成された他の駆動方式の農作物搬送コンベア１において、ギア車４５と第２ギア車４７の減速比により一旦第２プーリー４６の回転数をプーリー２ｐの回転数より減少させ、次に第２プーリー４６とプーリー４９のプーリー径の比よりプーリー４９の回転数を第２プーリー４６の回転数より増加させることにより、プーリー４９の回転数を補助無端コンベア３と主無端コンベア２が同一速度で送られるように設定する。又主無端コンベア２の送り方向が一旦ギア車４５と第２ギア車４７とにより反転しプーリー４９に伝えられるので、主無端コンベア２と補助無端コンベア３とは同一方向へ送られる。又両コンベアの仕切り板が重なり部を持つような位置関係にあるので、両コンベアの仕切り板は接触状態で送られる。
以上のように、図７，８に示す農作物搬送コンベア１は、車輪ｃが回転し主無端コンベア２が作動すると、収容器Ｂ内に収容された種芋３１は損傷を受けることなく搬送され所定ピッチで畑に植え付けられていく。
【００１１】
【発明の効果】
農作物を送る搬送路が搬送方向をターンし下側にくるかもしくは垂直となる主無端コンベアの下方搬送路において、主無端コンベアと補助無端コンベアとが同一方向，同一速度でかつ両コンベアの仕切り板が接触状態もしくは近接状態で送られてくるため、主無端コンベアの仕切り板と補助無端コンベアのコンベア面との間の間隙部分を補助無端コンベアの仕切り板で塞ぎ且つ主無端コンベアの仕切り板と補助無端コンベアのコンベア面とが同一速度で移動することによって主無端コンベアの仕切り板と補助無端コンベアのコンベア面の間に農作物が挟まることなく円滑に搬送され、搬送中農作物は損傷を受けることがない。
補助無端コンベアをフリー無端コンベアとし主無端コンベアの送られる仕切り板が補助無端コンベアの仕切り板と重なり部で接触して補助無端コンベアと主無端コンベアとを同一方向，同一速度で且つ仕切り板を互いに接触状態にして送るようにしているので、特別な連動手段を設けることなく簡単な構造のコンベアとなるので安価に製造できる。
主無端コンベアのフレームに補助無端コンベアを脱着自在に取り付けたものは、補助無端コンベアを外してコンベアの保守・点検を容易にすることができるので、農作物搬送コンベアを良好な状態に保ち長い年月に渡り使用していくことができる。
主無端コンベアの下方搬送路部分に側板を設けたものは、農作物が下方搬送路の側面より確実に落下することなく搬送されるので、農作物を損傷なく畑に植え付けていくことができる。
主無端コンベアの側板を透明体とするものは、農作物の搬送状態を随時監視できるので、農作物の搬送のトラブルを未然に防ぐことが出来る。
【図面の簡単な説明】
【図１】実施例の芋植え付け機の斜視図である。
【図２】実施例の芋植え付け機の正面図である。
【図３】実施例の農作物搬送コンベアの側面図である。
【図４】図３の農作物搬送コンベアのＡ−Ａ断面図である。
【図５】実施例の補助無端コンベアの斜視図である。
【図６】実施例の農作物搬送コンベアの送り機構の説明図である。
【図７】図３に示す補助無端コンベアのかわりに主無端コンベアの駆動力をベルトを介して伝達する補助無端コンベアを用いた場合の農作物搬送コンベアの送り機構の説明図である。
【図８】図３に示す補助無端コンベアのかわりに主無端コンベアの駆動力をベルト及びギア車を介して伝達する補助無端コンベアを用いた場合の農作物搬送コンベアの送り機構の説明図である。
【図９】従来の主無端コンベアの側面図である。
【図１０】図９の主無端コンベアのＢ−Ｂ断面図である。
【符号の説明】
１  農作物搬送コンベア
２  主無端コンベア
２ａ  コンベアベルト
２ｂ  仕切り板
２ｃ  垂直搬送路
２ｄ  斜め上方搬送路
２ｅ  斜め下方搬送路
２ｆ  縦フレーム
２ｇ  横フレーム
２ｈ  斜めフレーム
２ｉ  側面板
２ｊ  側面樋
２ｋ  カバー
２ｌ  側板
２ｍ  駆動プーリー
２ｎ  プーリー
２ｏ  欠番
２ｐ  プーリー
２ｑ  回転盤
３  補助無端コンベア
３ａ  コンベアベルト
３ｂ  仕切り板
３ｃ  コンベアフレーム
３ｄ  ジョイント板
３ｅ  プーリー
３ｆ  プーリー
３ｇ  ボルト
Ａ  芋植え付け機
Ｂ  収容器
Ｂ1 開口部
Ｃ  車輪
Ｄ  ローラー
Ｅ  車軸
Ｆ  スプロケット
Ｇ  スプロケット
Ｈ  スプロケット
Ｉ  チェーン
Ｊ  シャフト
Ｋ  ベベルギア
Ｌ  ベベルギア
３１  種芋
４０  補助無端コンベア
４１  プーリー
４２  プーリー
４３  ベルト
４４  欠番
４５  ギア車
４６  第２プーリー
４７  第２ギア車
４８  ベルト
４９  プーリー
５１  農作物搬送コンベア
５２  コンベアベルト
５３  仕切り板
５４  垂直搬送路
５５  斜め搬送路
５６  下方搬送路
５７  収容器
５８  カバー
５９  樋
６０  開口部
６１  縦フレーム
６２  横フレーム
６３  斜めフレーム
６４  駆動プーリー
６５  プーリー
６６  プーリー
６７  側面板
６８  回転盤
６９  種芋
【図１】
0004472060.tif 000002
【図２】
0004472060.tif 000003
【図３】
0004472060.tif 000004
【図４】
0004472060.tif 000005
【図５】
0004472060.tif 000006
【図６】
0004472060.tif 000007
【図７】
0004472060.tif 000008
【図８】
0004472060.tif 000009
【図９】
0004472060.tif 000010
【図１０】
0004472060.tif 000011